(57)【要約】【課題】  電池パックを充電する機能と外部メモリ機能とを有し、外部メモリとして着脱自在なメモリカードを使用でき、しかも携帯端末機器のキー操作によってメモリカードに対するアクセスを制御することができる卓上ホルダを提供する。【解決手段】  卓上ホルダ２は、挿入口２５に挿入された携帯端末機器１のコネクタ１３と結合するコネクタ２４、メモリカード用スロット２６に装填されたメモリカード４と結合するコネクタ２３、コネクタ２３とコネクタ２４とを接続するケーブル、ＡＣアダプタ３を接続するコネクタ２１などを備え、ＡＣアダプタ３から供給される充電用直流電圧を携帯端末機器１に供給して電池パック１４の充電を可能にするとともに、携帯端末機器１のキー操作によって携帯端末機器１からメモリカード４に対する読み書きを可能にする。【選択図】 図１
2005258526.tif 000002
【特許請求の範囲】
【請求項１】
メモリカード用スロットに装填されたメモリカードと携帯端末機器の外部接続端子とを電気的に接続する複数のコネクタを備え、ＡＣアダプタから供給される充電用直流電圧を前記携帯端末機器に供給して電池パックの充電を可能にするとともに、前記携帯端末機器のキー操作によって前記携帯端末機器から前記メモリカードに対する読み書きを可能にした卓上ホルダ。
【請求項２】
商用電源の交流電圧を充電用直流電圧に変換して出力するＡＣアダプタの出力端子と接続される充電端子を備えた第１のコネクタと、前記第１のコネクタの前記充電端子から前記充電用直流電圧を入力して動作電圧に変換し出力するレギュレータと、前記レギュレータの出力が印可される電源端子および外部記憶媒体用端子を備えた第２のコネクタと、前記第１のコネクタの前記充電端子に接続される充電端子および前記第２のコネクタの前記外部記憶媒体用端子に接続される端子を備えた第３のコネクタとを筐体に内蔵し、前記第２のコネクタは前記筐体に設けられたメモリカード用スロットに装着され、前記第３のコネクタは前記筐体に設けられた携帯端末機器挿入口に装着されており、ＡＣアダプタから供給される充電用直流電圧を前記携帯端末機器に供給して電池パックの充電を可能にするとともに、前記携帯端末機器のキー操作によって前記携帯端末機器から前記メモリカードに対する読み書きを可能にした卓上ホルダ。
【請求項３】
携帯端末機器と卓上ホルダとを含むシステムであって、前記卓上ホルダは、商用電源の交流電圧を充電用直流電圧に変換して出力するＡＣアダプタの出力端子と接続される充電端子を備えた第１のコネクタと、前記第１のコネクタの前記充電端子から前記充電用直流電圧を入力して動作電圧に変換し出力するレギュレータと、前記レギュレータの出力が印可される電源端子および外部記憶媒体用端子を備えた第２のコネクタと、前記第１のコネクタの前記充電端子に接続される充電端子、外部インタフェース用端子および前記第２のコネクタの前記外部記憶媒体用端子に接続される外部記憶媒体用端子を備えた第３のコネクタとを筐体に内蔵し、前記第２のコネクタは前記筐体に設けられたメモリカード用スロットに装着され、前記第３のコネクタは前記筐体に設けられた携帯端末機器挿入口に装着されており、前記携帯端末機器は、前記第３のコネクタと電気的かつ物理的に接続される充電端子、外部インタフェース用端子および外部記憶媒体用端子を備えた第４のコネクタと、前記第４のコネクタの前記充電端子から前記充電用直流電圧を入力して電池パックを充電する充電回路と、内部メモリと、表示装置と、キー装置と、前記第４のコネクタの前記外部インタフェース用端子および外部記憶媒体用端子、前記内部メモリ、前記表示装置ならびに前記キー装置に接続され、前記キー装置からの利用者入力に従って前記メモリカードに対する読み書きを制御する制御手段とを備えることを特徴とする携帯端末機器システム。
【請求項４】
携帯端末機器と卓上ホルダとを含むシステムであって、前記卓上ホルダは、商用電源の交流電圧を充電用直流電圧に変換して出力するＡＣアダプタの出力端子と接続される充電端子を備えた第１のコネクタと、前記第１のコネクタの前記充電端子から前記充電用直流電圧を入力して動作電圧に変換し出力するレギュレータと、前記レギュレータの出力が印可される電源端子および外部記憶媒体用端子を備えた第２のコネクタと、前記第１のコネクタの前記充電端子に接続される充電端子および前記第２のコネクタの前記外部記憶媒体用端子に接続される外部記憶媒体用端子を備えた第３のコネクタと、前記第２のコネクタの前記外部記憶媒体端子と前記第３の外部インタフェース端子とを接続するインタフェース変換機能を有する制御手段とを筐体に内蔵し、前記第２のコネクタは前記筐体に設けられたメモリカード用スロットに装着され、前記第３のコネクタは前記筐体に設けられた携帯端末機器挿入口に装着されており、前記携帯端末機器は、前記第３のコネクタと電気的かつ物理的に接続される充電端子および外部インタフェース用端子を備えた第４のコネクタと、前記第４のコネクタの前記充電端子から前記充電用直流電圧を入力して電池パックを充電する充電回路と、内部メモリと、表示装置と、キー装置と、前記第４のコネクタの前記外部インタフェース用端子、前記内部メモリ、前記表示装置および前記キー装置に接続され、前記キー装置からの利用者入力に従って前記メモリカードに対する読み書きを制御する制御手段とを備えることを特徴とする携帯端末機器システム。
【請求項５】
前記卓上ホルダの前記制御手段は、携帯側アクセス制御部と、カード側アクセス制御部と、バッファメモリとを有し、前記携帯側アクセス制御部は前記第３のコネクタの外部インタフェース用端子を通じて前記携帯端末機器の前記制御手段との間で、外部インタフェースに応じた手順でデータおよび制御信号の授受を行い、前記メモリカードのライト時は前記携帯端末機器の前記制御手段から受信した前記内部メモリのデータを前記バッファメモリに蓄積し、前記メモリカードのリード時は前記バッファメモリに蓄積された前記メモリカードのデータを前記携帯端末機器の前記制御手段へ転送するものであり、前記カード側アクセス制御部は前記第２のコネクタの前記外部記憶媒体用端子を通じて前記メモリカードとの間で、外部記憶媒体インタフェースに応じた手順でデータおよび制御信号の授受を行い、前記メモリカードのライト時は前記バッファメモリに蓄積された前記内部メモリのデータを前記メモリカードに書き込み、前記メモリカードのリード時は前記メモリカードから読み出したデータを前記バッファメモリに蓄積するものであることを特徴とする請求項４記載の携帯端末機器システム。
【請求項６】
前記制御手段は、前記内部メモリおよび前記メモリカード用スロットに装填されたメモリカードの一方を転送元メモリ、他方を転送先メモリとし、転送元メモリのフォルダ一覧を前記表示装置に表示して前記キー装置のキー操作によって利用者に転送元フォルダを選択させ、転送先メモリのフォルダ一覧を前記表示装置に表示して前記キー装置のキー操作によって利用者に転送先フォルダを選択させ、前記選択された転送元フォルダに記憶されたデータを読み出して前記選択された転送先フォルダに書き込むものであることを特徴とする請求項３、４または５記載の携帯端末機器システム。
【発明の詳細な説明】
【技術分野】
【０００１】
本発明は携帯端末機器用の卓上ホルダに関し、特に携帯端末機器に内蔵された電池パックを充電する機能と外部メモリ機能とを有する卓上ホルダに関する。
【背景技術】
【０００２】
携帯電話機に代表される携帯端末機器は、電池パックを電源として動作するため、定期的に充電する必要がある。そのため、電池パックを充電する機能を有する携帯端末機器用の卓上ホルダが、携帯端末機器とセットで販売され、また個別に販売されている。
【０００３】
また携帯端末機器は、高付加価値化や高機能化が要求されており、それに伴ってメモリ容量の増加が必須の状況下にある。メモリ容量を増加させる場合、内蔵メモリの容量を増大させる方法と外部メモリを利用する方法とがあるが、小型軽量薄型化が望まれる携帯端末機器の場合、内蔵メモリの容量拡大には限度がある。このため、外部メモリとして本体から着脱可能なメモリカードを搭載することが主流になりつつある。メモリカードは、フラッシュメモリを使用したカード型の記憶装置であり、代表的なものに、ＭＭＣ（マルチメディアカード）、ＳＤメモリカード、メモリスティックなどがある。
【０００４】
他方、特許文献１には、携帯電話機に内蔵された電池パックを充電する機能と外部メモリ機能とを有する充電器アダプタが提案されている。この充電器アダプタは、商用電源のコンセントに差し込む差込プラグと発光素子とを備えたアダプタ部と、携帯電話機の外部接続端子に接続されるコネクタと、前記アダプタ部と前記コネクタとを電気的に接続する接続手段とを有し、前記アダプタ部は、商用電源からの交流電圧を充電用直流電圧に変換して前記コネクタ及び接続手段を介して携帯電話機に供給し、電池パックを充電させるＡＣ／ＤＣ変換器と、電池パックの充電が完了したかどうかを監視する充電監視手段と、外部記憶としての記憶手段と、充電監視手段により充電完了が検出されると、携帯電話機の内部メモリから少なくとも電話帳データを含む記憶データを転送させて前記記憶手段に記憶させると共に、前記発光素子によりデータ転送中を報知する制御手段とを有している。また、充電器アダプタに設けた切替スイッチによって、充電完了時に携帯電話機の内部メモリから前記記憶手段にデータを転送するかどうかを設定可能とする構成や、充電完了時に、携帯電話機の内部メモリから前記記憶手段へのデータ転送、その逆の前記記憶手段から内部メモリへのデータ転送の何れを行うか或いはその何れも行わないかを、設定可能とする構成も記載されている。
【特許文献１】特開２００３−２８３６１０号公報
【発明の開示】
【発明が解決しようとする課題】
【０００５】
特許文献１に記載される充電器アダプタによれば、携帯電話機の電池パックの充電完了時に携帯電話機の内部メモリに記憶されている電話帳データを含む記憶データを充電器アダプタに内蔵される記憶手段に自動的に保存したり、その逆に充電器アダプタに保存しておいた記憶データを携帯電話機の内部メモリに自動的に転送することができる。
【０００６】
しかしながら、充電器アダプタに内蔵される記憶手段は着脱可能なものでなく、然も携帯電話機以外とはデータの転送が行えないため、外部メモリに保存したデータをパーソナルコンピュータや他の種類の携帯端末機器で利用することができず、データの共有性に難がある。また、キー操作によって、例えば、内部メモリに記憶されたデータのうち利用者が選択したデータだけを外部メモリに保存すると言ったアクセス制御が行えない。他方、メモリカード装着対応の携帯端末機器によれば、このような課題は解消されるが、そのためには携帯端末機器にメモリカードを搭載するだけのスペースが必要であり、小型軽量化に反するし、メモリカードの消費電力だけ携帯端末機器の消費電力が増大してしまう。
【０００７】
本発明はこのような事情に鑑みて提案されたものであり、その目的は、電池パックを充電する機能と外部メモリ機能とを有し、外部メモリとして着脱自在なメモリカードを使用でき、しかも携帯端末機器のキー操作によってメモリカードに対するアクセスを制御することができる卓上ホルダ及び携帯端末機器システムを提供することにある。
【課題を解決するための手段】
【０００８】
本発明の第１の卓上ホルダは、メモリカード用スロットに装填されたメモリカードと携帯端末機器の外部接続端子とを電気的に接続する複数のコネクタを備え、ＡＣアダプタから供給される充電用直流電圧を前記携帯端末機器に供給して電池パックの充電を可能にするとともに、前記携帯端末機器のキー操作によって前記携帯端末機器から前記メモリカードに対する読み書きを可能にしたことを特徴とする。
【０００９】
本発明の第２の卓上ホルダは、商用電源の交流電圧を充電用直流電圧に変換して出力するＡＣアダプタの出力端子と接続される充電端子を備えた第１のコネクタと、前記第１のコネクタの前記充電端子から前記充電用直流電圧を入力して動作電圧に変換し出力するレギュレータと、前記レギュレータの出力が印可される電源端子および外部記憶媒体用端子を備えた第２のコネクタと、前記第１のコネクタの前記充電端子に接続される充電端子および前記第２のコネクタの前記外部記憶媒体用端子に接続される端子を備えた第３のコネクタとを筐体に内蔵し、前記第２のコネクタは前記筐体に設けられたメモリカード用スロットに装着され、前記第３のコネクタは前記筐体に設けられた携帯端末機器挿入口に装着されており、ＡＣアダプタから供給される充電用直流電圧を前記携帯端末機器に供給して電池パックの充電を可能にするとともに、前記携帯端末機器のキー操作によって前記携帯端末機器から前記メモリカードに対する読み書きを可能にしたことを特徴とする。
【００１０】
本発明の第１の携帯端末機器システムは、携帯端末機器と卓上ホルダとを含むシステムであって、前記卓上ホルダは、商用電源の交流電圧を充電用直流電圧に変換して出力するＡＣアダプタの出力端子と接続される充電端子を備えた第１のコネクタと、前記第１のコネクタの前記充電端子から前記充電用直流電圧を入力して動作電圧に変換し出力するレギュレータと、前記レギュレータの出力が印可される電源端子および外部記憶媒体用端子を備えた第２のコネクタと、前記第１のコネクタの前記充電端子に接続される充電端子、外部インタフェース用端子および前記第２のコネクタの前記外部記憶媒体用端子に接続される外部記憶媒体用端子を備えた第３のコネクタとを筐体に内蔵し、前記第２のコネクタは前記筐体に設けられたメモリカード用スロットに装着され、前記第３のコネクタは前記筐体に設けられた携帯端末機器挿入口に装着されており、前記携帯端末機器は、前記第３のコネクタと電気的かつ物理的に接続される充電端子、外部インタフェース用端子および外部記憶媒体用端子を備えた第４のコネクタと、前記第４のコネクタの前記充電端子から前記充電用直流電圧を入力して電池パックを充電する充電回路と、内部メモリと、表示装置と、キー装置と、前記第４のコネクタの前記外部インタフェース用端子および外部記憶媒体用端子、前記内部メモリ、前記表示装置ならびに前記キー装置に接続され、前記キー装置からの利用者入力に従って前記メモリカードに対する読み書きを制御する制御手段とを備えることを特徴とする。
【００１１】
本発明の第２の携帯端末機器システムは、携帯端末機器と卓上ホルダとを含むシステムであって、前記卓上ホルダは、商用電源の交流電圧を充電用直流電圧に変換して出力するＡＣアダプタの出力端子と接続される充電端子を備えた第１のコネクタと、前記第１のコネクタの前記充電端子から前記充電用直流電圧を入力して動作電圧に変換し出力するレギュレータと、前記レギュレータの出力が印可される電源端子および外部記憶媒体用端子を備えた第２のコネクタと、前記第１のコネクタの前記充電端子に接続される充電端子および前記第２のコネクタの前記外部記憶媒体用端子に接続される外部記憶媒体用端子を備えた第３のコネクタと、前記第２のコネクタの前記外部記憶媒体端子と前記第３の外部インタフェース端子とを接続するインタフェース変換機能を有する制御手段とを筐体に内蔵し、前記第２のコネクタは前記筐体に設けられたメモリカード用スロットに装着され、前記第３のコネクタは前記筐体に設けられた携帯端末機器挿入口に装着されており、前記携帯端末機器は、前記第３のコネクタと電気的かつ物理的に接続される充電端子および外部インタフェース用端子を備えた第４のコネクタと、前記第４のコネクタの前記充電端子から前記充電用直流電圧を入力して電池パックを充電する充電回路と、内部メモリと、表示装置と、キー装置と、前記第４のコネクタの前記外部インタフェース用端子、前記内部メモリ、前記表示装置および前記キー装置に接続され、前記キー装置からの利用者入力に従って前記メモリカードに対する読み書きを制御する制御手段とを備えることを特徴とする。
【００１２】
本発明の第３の携帯端末機器システムは、第２の携帯端末機器システムにおいて、前記卓上ホルダの前記制御手段は、携帯側アクセス制御部と、カード側アクセス制御部と、バッファメモリとを有し、前記携帯側アクセス制御部は前記第３のコネクタの外部インタフェース用端子を通じて前記携帯端末機器の前記制御手段との間で、外部インタフェースに応じた手順でデータおよび制御信号の授受を行い、前記メモリカードのライト時は前記携帯端末機器の前記制御手段から受信した前記内部メモリのデータを前記バッファメモリに蓄積し、前記メモリカードのリード時は前記バッファメモリに蓄積された前記メモリカードのデータを前記携帯端末機器の前記制御手段へ転送するものであり、前記カード側アクセス制御部は前記第２のコネクタの前記外部記憶媒体用端子を通じて前記メモリカードとの間で、外部記憶媒体インタフェースに応じた手順でデータおよび制御信号の授受を行い、前記メモリカードのライト時は前記バッファメモリに蓄積された前記内部メモリのデータを前記メモリカードに書き込み、前記メモリカードのリード時は前記メモリカードから読み出したデータを前記バッファメモリに蓄積するものであることを特徴とする。
【００１３】
本発明の第４の携帯端末機器システムは、第１、第２または第３の携帯端末機器システムにおいて、前記携帯端末機器の前記制御手段は、前記内部メモリおよび前記メモリカード用スロットに装填されたメモリカードの一方を転送元メモリ、他方を転送先メモリとし、転送元メモリのフォルダ一覧を前記表示装置に表示して前記キー装置のキー操作によって利用者に転送元フォルダを選択させ、転送先メモリのフォルダ一覧を前記表示装置に表示して前記キー装置のキー操作によって利用者に転送先フォルダを選択させ、前記選択された転送元フォルダに記憶されたデータを読み出して前記選択された転送先フォルダに書き込むものであることを特徴とする。
【発明の効果】
【００１４】
本発明によれば、携帯端末機器の電池パックを充電するための卓上ホルダのスロットに装填されたメモリカードを携帯端末機器の外部メモリとして使用することができ、しかも携帯端末機器のキー操作によってメモリカードに対するアクセスを制御できる。
【発明を実施するための最良の形態】
【００１５】
図１および図２を参照すると、本発明の第１の実施の形態にかかる携帯端末機器１用の卓上ホルダ２は、商用電源の交流電圧を５Ｖ程度の充電用直流電圧に変換して出力するＡＣアダプタ３の出力端子３０１と接続される充電端子２１１を備えた第１のコネクタ２１と、第１のコネクタ２１の充電端子２１１からケーブル１０１を通じて充電用直流電圧を入力して３Ｖ程度の動作電圧に変換し、ケーブル１０２を通じて出力するレギュレータ２２と、レギュレータ２２の出力がケーブル１０２を通じて印可される電源端子２３１および外部記憶媒体用端子２３２を備えた第２のコネクタ２３と、第１のコネクタ２１の充電端子２１１にケーブル１０１を通じて接続される充電端子２４１、外部インタフェース用端子２４２および第２のコネクタ２３の外部記憶媒体用端子２３２にケーブル１０３を通じて接続される外部記憶媒体用端子２４３を備えた第３のコネクタ２４とを、筐体２０に内蔵している。
【００１６】
筐体２０は、その上面に携帯端末機器１用の挿入口２５を有し、その側面にメモリカード４用のスロット２６を有しており、第２のコネクタ２３はメモリカード用スロット２６の奥に取り付けられ、第３のコネクタ２４は挿入口２５の底面に取り付けられている。なお、筐体２０の上部は斜めにカットされており、携帯端末機器１の表側を正面にして挿入口２５に挿入した場合に、そのキー部１１およびＬＣＤ１２が完全に露出するようになっている。
【００１７】
他方、携帯端末機器１は、卓上ホルダ２の挿入口２５に挿入した状態で第３のコネクタ２４と電気的かつ物理的に接続される充電端子１３１、外部インタフェース用端子１３２および外部記憶媒体用端子１３３を備えた第４のコネクタ１３と、電池パック１４と、第４のコネクタ１３の充電端子１３１から充電用直流電圧を入力して電池パック１４を充電する充電回路１５と、内部メモリ１６と、ＬＣＤ１２と、各種のキーを有するキー部１１と、第４のコネクタ１３の外部インタフェース用端子１３２および外部記憶媒体用端子１３３、内部メモリ１６、ＬＣＤ１２ならびにキー部１１に接続された制御部１７とを筐体１０に内蔵している。制御部１７は、ＭＰＵを含んで構成され、携帯端末機器１全体の制御を司る。特に本発明に関しては、キー部１１からの利用者入力に従ってメモリカード４に対する読み書きを制御する機能を有している。
【００１８】
メモリカード４としてＭＭＣ（マルチメディアカード）を使用する場合、第２、第３および第４のコネクタ２３、２４および１３の外部記憶媒体用端子２３２、２４３および１３３は、ＭＭＣ用の端子群で構成される。メモリカード４として、ＳＤメモリカードやメモリスティックなどの他の種類のものが使用される場合も同様に、使用する種類のメモリカードに適合する１０芯程度の端子群で構成される。携帯端末機器１の外部記憶媒体用端子１３３は、第４のコネクタ１３が卓上ホルダ２の第３のコネクタ２４に結合されると、第３のコネクタ２４の外部記憶媒体端子２４３およびケーブル１０３を通じて第２のコネクタ２３の外部記憶媒体端子２３２と電気的に接続される。このため、メモリカード４がメモリカード用スロット２６に装填され、メモリカード４の図示しない外部接続端子が第２のコネクタ２３の外部記憶媒体端子２３２に接続されると、最終的に携帯端末機器１の外部記憶媒体用端子１３３に接続されることになり、携帯端末機器１からメモリカード４を直接にアクセスできることになる。
【００１９】
また、商用電源に接続したＡＣアダプタ３の出力端子３０１を卓上ホルダ２の第１のコネクタ２１に接続すると、充電用直流電圧がケーブル１０１を通じてレギュレータ２２および第３のコネクタ２４の充電端子２４１に印可される。このため、充電用直流電圧が第４のコネクタ１３の充電端子１３１を通じて充電回路１５に供給され、充電回路１５による電池パック１４の充電が可能になる。また、レギュレータ２２で生成された動作電圧がケーブル１０２、第２のコネクタ２３の電源端子２３１を通じてメモリカード４に供給され、メモリカード４が動作可能となる。
【００２０】
次に、携帯端末機器１から卓上ホルダ２のスロット２６に装填したメモリカード４をアクセスする際の動作を詳細に説明する。
【００２１】
利用者は携帯端末機器１の内部メモリ１６に記憶されているデータをメモリカード４にコピーしたり、その逆にメモリカード４に記憶されているデータを内部メモリ１６にコピーする場合、携帯端末機器１を卓上ホルダ２の挿入口２５に挿入し、第４のコネクタ１３と第３のコネクタ２４とを結合させる。そして、キー部１１からメモリカード４のアクセス開始の指示を入力する。この指示をキー部１１から受けた制御部１７は、図３に示す処理を開始する。
【００２２】
まず制御部１７は、商用電源に接続されたＡＣアダプタ３が卓上ホルダ２に接続されているかどうかを判別する（Ｓ１０１）。前述したようにＡＣアダプタ３が卓上ホルダ２に接続されると、充電用直流電圧が第１のコネクタ２１、ケーブル１０１、第３のコネクタ２４、第４のコネクタ１３を通じて充電回路１５に印可されるので、充電回路１５から充電用直流電圧の印可の有無を示す信号を制御部１７に通知することで、制御部１７においてＡＣアダプタ３が卓上ホルダ２に接続されているかどうかを判別することができる。若し、ＡＣアダプタ３が接続されていない場合、ＡＣアダプタ３を接続するように促進するメッセージをＬＣＤ１２に表示する（Ｓ１０２）。
【００２３】
卓上ホルダ２にＡＣアダプタ３が接続されていることを確認すると、続いて制御部１７は、スロット２６にメモリカード４が装填されているかどうかを判別する（Ｓ１０３）。前述したようにスロット２６の第２のコネクタ２３にメモリカード４の図示しない外部接続端子が接続されると、ケーブル１０２を通じてレギュレータ２２から供給される動作電圧が充電端子２３１を介してメモリカード４に供給され、メモリカード４が動作可能になっているので、第４のコネクタ１３、第３のコネクタ２４、ケーブル１０３および第２のコネクタ２３を通じてメモリカード４をアクセスすることで、制御部１７においてスロット２６にメモリカード４が装填されているかどうかを判別することができる。若し、メモリカード４が装填されていない場合、メモリカードを装填するように促進するメッセージをＬＣＤ１２に表示する（Ｓ１０４）。なお、ＡＣアダプタ３が接続されていない場合、およびメモリカード４が挿入されていない場合、メモリカード４に対するリードまたはライト時にエラーになるので、そのエラー時点で、ＡＣアダプタ３を接続すること及びメモリカード４を挿入することを利用者に促すメッセージをＬＣＤ１２に表示するようにしてもよい。
【００２４】
メモリカード４の装填を確認すると、次に制御部１７は、メモリカード４に対するアクセス種別（ライト、リードの区別）の選択画面をＬＣＤ１２に表示し、利用者の入力を待つ（Ｓ１０５）。図４（ａ）にアクセス種別の選択画面の一例を示す。「メモリカードに書き込む」、「メモリカードから読み出す」の何れか一方を、キー部１１上のカーソルキーなどで選択し、実行ボタンを押下することで、アクセス種別が選択できるようになっている。
【００２５】
制御部１７は、アクセス種別の選択画面において、メモリカードに対するライトが選択された場合（Ｓ１０６でＹＥＳ）、転送元メモリを内部メモリ１６、転送先メモリをメモリカード４とする状態に遷移し（Ｓ１０７）、メモリカードに対するリードが選択された場合（Ｓ１０６でＮＯ）、転送元メモリをメモリカード４、転送先メモリを内部メモリ１６とする状態に遷移する（Ｓ１０８）。
【００２６】
次に制御部１７は、転送元メモリをアクセスして、転送元メモリに存在するフォルダの一覧を求め、その一覧を含む転送元フォルダ選択画面をＬＣＤ１２に表示し、利用者の入力を待つ（Ｓ１０９）。図４（ｂ）に転送元フォルダ選択画面の一例を示す。この例は転送元メモリが内部メモリ１６の場合のもので、「マイフォルダ」という名前のフォルダがあり、その下位に、「電話帳」、「メール」、「ピクチャ」という３つのフォルダがあることが示されており、その何れかのフォルダをキー部１１上のカーソルキーなどで選択し、実行ボタンを押下することで、転送元フォルダが選択できるようになっている。制御部１７は、転送元フォルダ選択画面でフォルダが選択されると、その選択されたフォルダを転送元フォルダとする状態に遷移する（Ｓ１１０）。
【００２７】
次に制御部１７は、転送先メモリをアクセスして、転送先メモリに存在するフォルダの一覧を求め、その一覧を含む転送先フォルダ選択画面をＬＣＤ１２に表示し、利用者の入力を待つ（Ｓ１１１）。図４（ｃ）に転送先フォルダ選択画面の一例を示す。この例は転送先メモリがメモリカーソルの場合のもので、「保存メール」という名前のフォルダがあり、その下位に、「会社」、「友人」という２つのフォルダがあることが示されており、その何れかのフォルダをキー部１１上のカーソルキーなどで選択し、実行ボタンを押下することで、転送先フォルダが選択できるようになっている。制御部１７は、転送先フォルダ選択画面でフォルダが選択されると、その選択されたフォルダを転送先フォルダとする状態に遷移する（Ｓ１１２）。
【００２８】
次に制御部１７は、選択された転送元フォルダと転送先フォルダを利用者に確認させる確認画面をＬＣＤ１２に表示し、利用者の入力を待つ（Ｓ１１３）。図４（ｄ）に確認画面の一例を示す。この例は、アクセス種別がメモリカードのライトで、転送元フォルダとして内部メモリ１６の「メール」フォルダが選択され、転送先フォルダとしてメモリカード４の「友人」フォルダが選択された場合のものである。利用者は、ＹＥＳボタン、ＮＯボタンの何れかを押下することで、実行の可否を指示するようになっている。
【００２９】
制御部１７は、確認画面上でＮＯボタンが押下されると、図３の処理を終了する。他方、ＹＥＳボタンが押下されると、転送元フォルダの内容を転送元メモリからリードし、転送先メモリの転送先フォルダにライトする（Ｓ１１４）。なお、制御部１７は転送元メモリから転送先メモリへのデータ転送中、ＬＣＤ１２の画面にデータ転送中である旨のメッセージを表示し、データ転送が終了すると、その旨のメッセージを表示する。
【００３０】
このように本実施の形態によれば、以下のような効果が得られる。
【００３１】
卓上ホルダ２に設けたメモリカード用スロット２６に装填されたメモリカード４に対して携帯端末機器１からアクセスできるため、携帯端末機器１のメモリカード用スロットが不要になり、携帯端末機器１のより一層の小型軽量化が可能になる。
【００３２】
携帯端末機器のキー部１１のキー操作によってメモリカード４に対するアクセスを制御することができる。
【００３３】
メモリカード４の電源を、携帯端末機器１からでなく、ＡＣアダプタ３から供給するため、携帯端末機器１の消費電力の増加を防ぐことができる。また、電池パック１４を充電しながらメモリカード４の読み書きを実施することができるため、メモリカード４のアクセス中に電池切れで電源が落ち、データ破壊を招くようなことがなくなる。
【００３４】
図５および図６を参照すると、本発明の第２の実施の形態にかかる携帯端末機器１ａ用の卓上ホルダ２ａは、図１の第１の実施の形態にかかる卓上ホルダ２と比較して、以下の点が相違する。
（１）第３のコネクタ２４ａは、充電端子２４１と外部インタフェース端子２４２とを有し、外部記憶媒体用端子は備えていない。
（２）レギュレータ２２からケーブル１０２を通じて動作電圧を受けて動作する制御部２７およびＬＥＤ２８が追加されている。
（３）第３のコネクタ２４ａの外部インタフェース端子２４２はケーブル１０３−１を通じて制御部２７に接続され、第２のコネクタ２３の外部記憶媒体用端子２３２はケーブル１０３−２を通じて制御部２７に接続されている。
【００３５】
他方、携帯端末機器１ａは、図１の第１の実施の形態にかかる携帯端末機器１と比較して、以下の点が相違する。
（４）第４のコネクタ１３ａは、充電端子１３１と外部インタフェース端子１３２とを有し、外部記憶媒体用端子は備えていない。
【００３６】
図７を参照すると、卓上ホルダ２ａに設けられる制御部２７は、携帯側アクセス制御部２７１と、カード側アクセス制御部２７２と、バッファメモリ２７３と、ＬＥＤ制御部２７４とで構成される。
【００３７】
携帯側アクセス制御部２７１は、ケーブル１０３−１および第３のコネクタ２４ａの外部インタフェース用端子２４２、第４のコネクタ１３ａの外部インタフェース用端子１３２を通じて、携帯端末機器１ａの制御部１７との間で、外部インタフェースに応じた手順でデータおよび制御信号の授受を行い、メモリカード４のライト時は制御部１７から受信した内部メモリ１６のデータをバッファメモリ２７３に蓄積し、メモリカード４のリード時はバッファメモリ２７３に蓄積されたメモリカード４のデータを制御部１７へ転送する。
【００３８】
カード側アクセス制御部２７２は、ケーブル１０３−２および第２のコネクタ２３の外部記憶媒体用端子２３２を通じて、メモリカード４との間で、外部記憶媒体インタフェースに応じた手順でデータおよび制御信号の授受を行い、メモリカードのライト時はバッファメモリ２７３に蓄積された内部メモリ１６のデータをメモリカード４に書き込み、メモリカードのリード時はメモリカード４から読み出したデータをバッファメモリ２７３に蓄積する。
【００３９】
これらの携帯側アクセス制御部２７１、カード側アクセス制御部２７２およびバッファメモリ２７３により、携帯端末機器１ａの有する外部インタフェースとメモリカードの有する外部記憶媒体インタフェースとの間のインタフェース変換手段が構成される。
【００４０】
ＬＥＤ制御部２７４は、携帯側アクセス制御部２７１およびカード側アクセス制御部２７２が動作している期間中、ＬＥＤ２８を点灯させる部分である。ＬＥＤ２８は、ホルダの外から見えるように、卓上ホルダ１ａの側面などに取り付けられており、利用者はＬＥＤ２８の点灯、消灯の状態により、メモリカード４のアクセス中、非アクセス中を認識できるようになっている。
【００４１】
携帯端末機器１ａから卓上ホルダ２ａのスロット２６に装填したメモリカード４をアクセスする際の動作は、上述したように卓上ホルダ２ａの制御部２７でインタフェース変換が実施される点を除いて、第１の実施の形態と同じである。
【００４２】
本実施の形態では、携帯端末機器１ａの第４のコネクタ１３ａに外部記憶媒体用端子を設ける必要がないので、第４のコネクタ１３ａの小型化が可能になる。
【００４３】
以上本発明の実施の形態について説明したが、本発明は以上の実施の形態にのみ限定されず、その他各種の付加変更が可能である。例えば、前述した実施の形態では、卓上ホルダに１つのメモリカード用スロットと第２のコネクタを設けたが、種類の異なる複数のメモリカード用スロットと第２のコネクタを設けて、複数種類のメモリカードに対応できるように構成することも可能である。
【図面の簡単な説明】
【００４４】
【図１】本発明の第１の実施の形態にかかる携帯端末機器と卓上ホルダの概略構成図である。
【図２】本発明の第１の実施の形態にかかる携帯端末機器と卓上ホルダのブロック図である。
【図３】本発明の第１の実施の形態にかかる携帯端末機器の制御部の処理例を示すフローチャートである。
【図４】本発明の第１の実施の形態にかかる携帯端末機器のＬＣＤに表示される画面の一例を示す図である。
【図５】本発明の第２の実施の形態にかかる携帯端末機器と卓上ホルダの概略構成図である。
【図６】本発明の第２の実施の形態にかかる携帯端末機器と卓上ホルダのブロック図である。
【図７】本発明の第２の実施の形態にかかる卓上ホルダの制御部の構成例を示すブロック図である。
【符号の説明】
【００４５】
１、１ａ…携帯端末機器
１０…筐体
１０１、１０２、１０３、１０３−１、１０３−２…ケーブル
１１…キー部
１２…ＬＣＤ
１３、１３ａ…第４のコネクタ
１３１…充電端子
１３２…外部インタフェース用端子
１３３…外部記憶媒体用端子
１４…電池パック
１５…充電回路
１６…内部メモリ
１７…制御部
１８…外部接続端子
２、２ａ…卓上ホルダ
２０…筐体
２１…第１のコネクタ
２１１…充電端子
２２…レギュレータ
２３…第２のコネクタ
２３１…電源端子
２３２…外部記憶媒体用端子
２４、２４ａ…第３のコネクタ
２４１…充電端子
２４２…外部インタフェース用端子
２４３…外部記憶媒体用端子
２５…挿入口
２６…スロット
２７…制御部
２７１…携帯側アクセス制御部
２７２…カード側アクセス制御部
２７３…バッファメモリ
２７４…ＬＥＤ制御部
２８…ＬＥＤ
３…ＡＣアダプタ
４…メモリカード
【図１】
2005258526.tif 000003
【図２】
2005258526.tif 000004
【図３】
2005258526.tif 000005
【図４】
2005258526.tif 000006
【図５】
2005258526.tif 000007
【図６】
2005258526.tif 000008
【図７】
2005258526.tif 000009